(57)【要約】【課題】簡単な構成で外観が損なわれることを防止して良好に転倒防止できる表示装置である。【解決手段】表示手段を取り付けるスタンドの略板状の台座部２２１の背面に、台座部２２１の補強部材として機能する支持骨部材の端部をカバー部２２０の切欠凹部を介して台座部２２１の背面から臨ませる。外面に臨む支持骨部材の端部の被取付部２１１Ｃに、略帯状に形成した転倒防止部材４００の端部取付部４１０を取り付ける。端部取付部４１０に可撓性を有する部材にて長手帯状に連結する帯状固定部を家具５００の背面などに屈曲させて取付ねじ４４０にて取り付ける。【選択図】図３
2008145779.tif 000002
【特許請求の範囲】
【請求項１】
載置面上に載置される略板状の台座部およびこの台座部に立設された支柱部を備えたスタンドの前記支柱部にディスプレイが取り付けられた表示装置の転倒を防止する表示装置の転倒防止部材であって、
前記台座部の背面に取付部材にて取り付けられる端部取付部と、
この端部取付部に可撓性を有する部材にて長手帯状に連設され前記載置面を構成する構造物に取付部材にて取り付けられる帯状固定部と、
を具備したことを特徴とした表示装置の転倒防止部材。
【請求項２】
請求項１に記載の表示装置の転倒防止部材であって、
前記端部取付部における前記台座部の背面に接触される平面と、前記帯状固定部の平面とが、略垂直な状態に合成樹脂にて一体成形された
ことを特徴とした表示装置の転倒防止部材。
【請求項３】
請求項１に記載の表示装置の転倒防止部材であって、
前記端部取付部は、金属製で、
前記帯状固定部は、シートベルト用の織布にて形成された
ことを特徴とした表示装置の転倒防止部材。
【請求項４】
請求項１ないし請求項３のいずれかに記載の表示装置の転倒防止部材であって、
前記表示装置のディスプレイは、液晶ディスプレイまたはプラズマディスプレイである
ことを特徴とした表示装置の転倒防止部材。
【請求項５】
載置面上に載置される略板状の台座部およびこの台座部に軸方向が鉛直方向に略沿って立設されディスプレイが取り付けられる支柱部とを備えたスタンドと、
請求項１ないし請求項４のいずれかに記載の表示装置の転倒防止部材と、
を具備したことを特徴としたディスプレイ保持部材。
【請求項６】
請求項５に記載のディスプレイ保持装置であって、
前記台座部は、前後方向に長手状で軸方向の一端部に前記取付部材が取り付けられる被取付部を備えた支持骨部材と、この支持骨部材の少なくとも前記被取付部が外面に臨む状態で前記支持骨部材を覆う下面を開口した略板状に形成されたカバー部とを備え、
前記表示装置の転倒防止部材は、前記端部取付部が外面に臨む前記支持骨部材の被取付部に取り付けられる
ことを特徴としたディスプレイ保持装置。
【請求項７】
請求項５または請求項６に記載のディスプレイ保持装置と、
このディスプレイ保持装置の支柱部に取り付けられるディスプレイと、
を備えたことを特徴とした表示装置。
【発明の詳細な説明】
【技術分野】
【０００１】
本発明は、表示装置に取り付けられ表示装置の転倒を防止する表示装置の転倒防止部材、ディスプレイ保持装置、および、表示装置に関する。
【背景技術】
【０００２】
従来、表示装置として、例えば地震や利用者が不用意に接触するなどの外力が作用した際に、転倒することを防止するために、転倒防止部材にて固定する構成が知られている（例えば、特許文献１および特許文献２参照）。
特許文献１に記載のものは、スタンドにバックルのアンカー部を取り付ける。また、スタンドに載せられるテレビジョンには、バックルの受け部を取り付ける。そして、スタンドのバックルを、テレビジョンの受け部に差し入れてバックルを締結し、テレビジョンの転倒を防止する構成が採られている。
特許文献２に記載のものは、テレビの背面部に設けたバンド挿入孔に、バンドの球形の嵌入部を押圧し、バンドを取り付ける。さらに、バンドをラックの背面にねじで固定し、テレビの転倒を防止する構成が採られている。
【０００３】
【特許文献１】特開平５−６８２２０号公報
【特許文献２】特開平９−３７１９１号公報
【発明の開示】
【発明が解決しようとする課題】
【０００４】
しかしながら、上記特許文献１および特許文献２に記載のような従来の構成では、表示装置に転倒防止用のバックルやバンドを取り付けるための特別な構成を設ける必要があり、表示装置の製造性の向上が図れない問題点が一例として挙げられる。特に、液晶ディスプレイやプラズマディスプレイなどの薄型のディスプレイでは、前後方向の奥行き寸法に制約が大きい。このことにより、薄型のディスプレイでは、ディスプレイ本体を支持するスタンドに転倒防止用の構成が設けられているのが一般的である。
ところで、薄型のディスプレイのスタンドは、床面や家具の上面などの載置面上に載置される底板に軸方向が鉛直方向に略沿う状態に立設された支柱部に、ディスプレイ本体を取り付けて支持する構成を基本構成としたものが一般的である。そして、転倒防止の構成としては、例えば、底板を載置面にねじ止めしたり、一端部が底板に取り付けたバンドの他端部を壁面や家具にねじ止めしたりする構成が採られている。
しかしながら、底板を載置面にねじ止めして転倒を防止する構成では、家具や床面にねじ止めによるねじ孔の傷付きを生じる不都合があるという問題点が一例として挙げられる。また、バンドにて転倒防止する構成では、スタンドが板状構成であることから、スタンドの上面から家具などに亘ってバンドを取り付けることとなり、外観が損なわれる不都合があるという問題点が一例として挙げられる。
【０００５】
本発明は、このような問題点などに鑑みて、簡単な構成で外観が損なわれることを防止して良好に転倒防止できる表示装置の転倒防止部材、ディスプレイ保持装置、および、表示装置を提供することを一つの目的とする。
【課題を解決するための手段】
【０００６】
請求項１に記載の発明は、載置面上に載置される略板状の台座部およびこの台座部に立設された支柱部を備えたスタンドの前記支柱部にディスプレイが取り付けられた表示装置の転倒を防止する表示装置の転倒防止部材であって、前記台座部の背面に取付部材にて取り付けられる端部取付部と、この端部取付部に可撓性を有する部材にて長手帯状に連設され前記載置面を構成する構造物に取付部材にて取り付けられる帯状固定部と、を具備したことを特徴とした表示装置の転倒防止部材である。
【０００７】
請求項５に記載の発明は、載置面上に載置される略板状の台座部およびこの台座部に軸方向が鉛直方向に略沿って立設されディスプレイが取り付けられる支柱部とを備えたスタンドと、請求項１ないし請求項４のいずれかに記載の表示装置の転倒防止部材と、を具備したことを特徴としたディスプレイ保持部材である。
【０００８】
請求項７に記載の発明は、請求項５または請求項６に記載のディスプレイ保持装置と、このディスプレイ保持装置の支柱部に取り付けられるディスプレイと、を備えたことを特徴とした表示装置である。
【発明を実施するための最良の形態】
【０００９】
以下に、本発明の表示装置の一実施形態を図面に基づいて説明する。
図１は、表示装置の概略構成を示す背面側斜視図である。図２は、スタンドを示す分解斜視図である。図３は、表示装置を示す一部を切り欠いたスタンドの支柱部を示す平面断面図である。
【００１０】
〔表示装置の構成〕
図１において、１００は表示装置で、この表示装置１００は、画像データを表示により出力する装置である。そして、表示装置１００は、ディスプレイ支持装置であるスタンド２００と、このスタンド２００に取り付けられたディスプレイとしての表示手段３００と、転倒防止部材４００と（図３参照）、を備えている。
【００１１】
表示手段３００は、電力が供給された状態で画像データを取得すると適宜画像データを表示させる図示しない表示パネルと、この表示パネルの平面状の表示面を露出する状態で囲むケース体３１０と、を備えている。この表示手段３００としては、例えば液晶や有機ＥＬ（electoroluminescence）パネル、ＰＤＰ（Plasma Display Panel）、ＣＲＴ（Cathode-Ray Tube）、ＦＥＤ（Field Emission Display）、電気泳動ディスプレイパネルなどが用いられる。
なお、表示手段３００で表示する画像データとしては、例えばケーブル線を介して接続された受信アンテナにより受信したテレビ番組などの電波や、ケーブル線を介して接続された画像データ読取装置などから取得する。画像データ読取装置としては、例えば、テレビジョン受像機の他、ＣＤ（Compact Disc）やＤＶＤ（Digital Versatile Disc）などの光ディスクや磁気ディスクあるいは光磁気ディスク、メモリなどの記録媒体から読み取るドライブなどが例示できる。なお、表示手段３００は、ケーブル線を介して画像データを取得する構成の他、電波や光などの無線媒体を介して直接取得するなどしてもよい。
【００１２】
一方、スタンド２００は、図２および図３に示すように、一対の支持部２１０と、カバー部２２０と、を備えている。
支持部２１０は、図２に示すように、支持骨部材２１１と、支柱部２１２と、を備えている。
支持骨部材２１１は、例えば２ｍｍ厚の鋼板などにて、扁平棒状で軸方向における幅広の一側面が開放する断面略コ字状に、プレス加工などにて折曲形成されている。この支持骨部材２１１の幅広の他側面には、カバー部２２０にねじ止めされるねじ孔部２１１Ａが設けられているとともに、外面側に位置して、載置面、例えば床面や家具の上面などに載置された際に滑り止めかつ傷付き防止の目的で、図示しないゴム部材などが設けられている。さらに、支持骨部材２１１の軸方向の一端部には、雌ねじ２１１Ｂを有する被取付部２１１Ｃが設けられている。この被取付部２１１Ｃは、雌ねじ２１１Ｂの穿設方向が支持骨部材２１１の軸方向に略沿う状態で設けられている。
支柱部２１２は、例えば２ｍｍ鋼板などにて、扁平棒状で軸方向における幅狭の一側面が開放する断面略コ字状に、プレス加工などにて折曲形成されている。すなわち、支柱部２１２は、例えば長手長方形の鋼板における長手方向の両側が同方向に略垂直に折曲形成されて断面略コ字状に形成され、鋼板の長手方向の両側縁が一対の開口縁２１２Ａとなって一側に開口面２１２Ｂを構成する状態に形成されている。具体的には、支柱部２１２は、細長長方形の平面部２１２Ｃと、この平面部２１２Ｃの長手方向の両側に同方向に略垂直に折曲された側面部２１２Ｄとを有し、幅広方向における一側に開口面２１２Ｂを開口する断面コ字状に形成されている。
これら支柱部２１２は、折曲加工された角縁が、内側で０．０２ｍｍ以上０．３ｍｍ以下の曲率半径、外側で０．０５ｍｍ以上０．７ｍｍ以下の曲率半径で加工されていることが好ましい。すなわち、長手方向で屈曲される力が作用した際に、上述した所定の曲率半径となる曲面状に形成することで、応力集中による亀裂の発生などの不都合を防止できるとともに、ある程度の曲率で折曲形成することによるプレス加工が容易となって、加工性の向上や歩留まりの向上などが得られる。
また、支柱部２１２には、図１および図２に示すように、取付部材としての図示しない取付ねじが挿通されるねじ孔２１２Ｅが軸方向で複数穿設されている。これらねじ孔２１２Ｅは、一対の側面部２１２Ｄに軸方向で複数対向する位置に穿設されている。
そして、支持部２１０は、支持骨部材２１１の開放する一側で中間部から一端部となる後端側に位置して、支柱部２１２の長手方向の一端部が一体的に接続され、側面視で略Ｌ字状に形成されている。
【００１３】
カバー部２２０は、例えば合成樹脂や金属、木材などにて形成されている。
このカバー部２２０は、図１ないし図３に示すように、台座部２２１と、支柱支持部２２２と、を有している。
【００１４】
台座部２２１は、底面を開口する略板状、すなわち長方形扁平箱状に形成されている。この台座部２２１は、内面側における幅寸法となる前後方向の寸法が支持部２１０の支持骨部材２１１の長さ寸法より長く、内面側の高さ寸法である下縁から内面側の天面までの高さ寸法が支持部２１０の支持骨部材２１１の厚さ寸法である高さ寸法と略同寸法に形成されている。そして、台座部２２１には、長手方向となる幅方向における両端縁側、すなわち前後方向の両側に位置して、支持部２１０の支持骨部材２１１が係脱可能に係合される図示しない凹溝部がそれぞれ設けられ、支持骨部材２１１を覆う状態にそれぞれ係合する。そして、台座部２２１には、凹溝部内に位置して、支持骨部材２１１のねじ孔部２１１Ａを介して取付ねじが取り付けられる図示しないねじ取付部が設けられている。
また、台座部２２１には、図２に示すように、凹溝部に位置して上下方向に貫通する嵌挿孔２２１Ａがそれぞれ開口形成されている。これら嵌挿孔２２１Ａは、支持部２１０の支柱部２１２の外径寸法と略同寸法の長方形状で、台座部２２１の幅方向で長手状となる状態に形成され、凹溝部に支持骨部材２１１が係合された状態で支柱部２１２を嵌挿保持可能に形成されている。
さらに、台座部２２１には、図１ないし図３に示すように、支持部２１０の支持骨部材２１１の被取付部２１１Ｃの端面が外面に臨ませる切欠凹部２２１Ｂが台座部２２１の下縁から切欠形成されている。
【００１５】
支柱支持部２２２は、内面が台座部２２１の嵌挿孔２２１Ａに連続する略四角筒状で、軸方向が台座部２２１の下縁にて構成される底面に対して略垂直、すなわち鉛直方向に略沿う状態に一体的に突設された一対の支柱嵌挿部２２２Ａを有している。なお、この支柱嵌挿部２２２Ａは、基端側にしたがって肉厚に形成されている。
また、支柱支持部２２２には、支柱嵌挿部２２２Ａ間を連結する連結部２２２Ｂが設けられている。この連結部２２２Ｂは、支柱嵌挿部２２２Ａの前後方向の面に一連で、かつ支柱嵌挿部２２２Ａの先端縁に連続して、断面略逆Ｕ字状に台座部２２１に一連に形成されている。
【００１６】
そして、スタンド２００は、支持部２１０の支柱部２１２がカバー部２２０の嵌挿孔２２１Ａに嵌挿されて支柱嵌挿部２２２Ａに嵌合されるとともに、支持部２１０の支持骨部材２１１がカバー部２２０の台座部２２１の凹溝部に係合され、支持骨部材２１１のねじ孔部２１１Ａが台座部２２１のねじ取付部にねじ止めされ、一体的に組立形成されている。
この組立形成された状態でのスタンド２００は、支柱部２１２の開口する側面、すなわち開口面２１２Ｂの垂線が、表示手段３００の表示面の平面方向に対して略平行で、かつ開口面２１２Ｂが互いに対向する状態となっている。
そして、表示装置１００は、表示手段３００のケース体３１０に設けられたねじ止め用の図示しないねじ孔に、支柱部２１２のねじ孔２１２Ｅを介して図示しない取付ねじが取り付けられることで、支柱部２１２に表示手段３００が一体的に取り付けられ、組立形成される。
【００１７】
転倒防止部材４００は、表示手段３００が取り付けられたスタンド２００の転倒を防止する。この転倒防止部材４００は、図３および図４に示すように、例えば合成樹脂にて可撓性を有する略帯状に形成されている。
この転倒防止部材４００は、図４に示すように、端部取付部４１０と、帯状固定部４２０と、を備えている。
端部取付部４１０は、一縁が円弧状となる平板状で、平面視で略半円状に形成されている。この端部取付部４１０には、略中央に位置して、取付部材としての例えばねじ部材４４０が挿通されるねじ挿通孔４１１が設けられている。
帯状固定部４２０は、長手帯状で少なくとも厚さ方向で可撓変形可能に形成されている。この帯状固定部４２０は、平面が端部取付部４１０の平面に対して略垂直となる状態に、端部取付部４１０に一連に設けられている。すなわち、転倒防止部材４００は、長手方向における断面で略Ｌ字状に形成されている。また、帯状固定部４２０には、端部取付部４１０と同様のねじ取付孔４１２が長手方向に複数設けられている。
そして、転倒防止部材４００は、図３および図４に示すように、端部取付部４１０がスタンド２００を構成する支持部２１０の支持骨部材２１１に設けられた被取付部２１１Ｃの雌ねじ２１１Ｂに、取付ねじ４４０が螺着されて支持部２１０に取り付けられる。また、転倒防止部材４００は、帯状固定部４２０がスタンド２００を載置する家具５００の背面側へ可撓変形され、いずれかのねじ取付孔４２１に挿通された取付ねじ４４０にて取り付けられ、スタンド２００の転倒防止として機能する。
【００１８】
〔表示装置の動作〕
（組立動作）
次に、上記表示装置の動作として、組立動作について説明する。
【００１９】
あらかじめ支持骨部材２１１および支柱部２１２が一体的に連結されて形成された支持部２１０の一対の支柱部２１２を、開口面２１２Ｂが互いに対向する状態で、カバー部２２０の台座部２２１の底面側から嵌挿孔２２１Ａおよび支柱嵌挿部２２２Ａに押し込むように嵌挿させる。そして、支持部２１０の支持骨部材２１１がカバー部２２０の台座部２２１の凹溝部に係合させ、支持部２１０をカバー部２２０にがたつきなく組み付ける。
この後、表示手段３００の表示面を下面となる状態に載置し、上面に臨む表示手段３００のケース体３１０の背面に、スタンド２００の支柱部２１２を所定の位置に位置決めする。そして、ケース体３１０に設けられたねじ止め用のねじ孔に支柱部２１２のねじ孔２１２Ｅを介して取付ねじを螺着し、スタンド２００と表示手段３００とを一体的に組み付ける。
そして、表示面が前面となるように、例えば図３および図４に示すように、家具５００の上面である載置面５１０上で表示手段３００を起こし上げてスタンド２００を載置させる。
この後、転倒防止部材４００の端部取付部４１０をスタンド２００の背面側に臨む支持部２１０の被取付部２１１Ｃに取り付け、スタンド２００を載置面５１０上で所定の位置まで移動させる。そして、転倒防止部材４００の帯状固定部４２０を家具５００の背面に取付ねじ４４０にて取り付け、表示装置１００が所定の位置に設置される。
【００２０】
〔ディスク装置の作用効果〕
上述したように、上記一実施形態では、表示手段３００が取り付けられるスタンド２００における載置面５１０上に載置される略板状の台座部２２１の背面に、取付ねじ４４０にて転倒防止部材４００の端部取付部４１０を取り付けるとともに、この端部取付部４１０に可撓性を有する部材にて長手帯状に連結された帯状固定部を家具５００の背面などに取付ねじ４４０にて取り付け、表示装置１００の転倒を防止している。
このため、取付部分が台座部２２１の背面であることから、表示手段３００の背面側に転倒防止部材４００を取り付けるための構成が不要で、表示手段３００の厚さ寸法である奥行き寸法の増大を防止しつつ、外観が損なわれることなく、帯状の簡単な構成で表示装置１００の転倒を防止できる転倒防止部材４００を容易に取り付けることができる。特に、奥行き寸法の制約が強い液晶ディスプレイやＰＤＰなどの薄型で大型の表示手段３００の表示装置１００でも、載置面５１０上に載置した後に表示手段３００を表示面が載置面５１０に対向する状態に倒して転倒防止部材４００を取り付ける必要がなく、容易に取り付けできる。さらには、可撓性を有する帯状固定部４２０にて家具５００の背面に屈曲させて取り付けるので、家具５００の載置面５１０にねじ孔などの傷を付けることなく容易に取り付けることができる。
【００２１】
そして、端部取付部４１０における台座部２２１の背面に重ね合わされて接触される平面と、帯状固定部４２０の平面とが略垂直な状態の断面略Ｌ字状に、転倒防止部材４００を合成樹脂にて一体成形している。
このため、台座部２２１の背面および家具５００などの構造物にねじ止めして取り付ける作業が、例えば載置面５１０上に転倒防止部材４００を載置させて取り付ければよく、取付作業が容易となり、取付作業性を向上できる。
【００２２】
また、帯状固定部４２０に取付ねじ４４０を取り付けるためのねじ取付孔４２１を複数穿設している。
このため、帯状固定部４２０を図３および図４に示すように屈曲させて家具５００の背面へ取り付ける作業が容易となり、取付作業性を向上できる。
【００２３】
そして、台座部２２１の補強部材として機能する支持骨部材２１１の端部をカバー部２２０の切欠凹部２２１Ｂを介して台座部２２１の背面から臨ませ、この支持骨部材２１１に転倒防止部材４００の端部取付部４１０を取り付けている。
このため、台座部２２１に大きな転倒力により転倒防止部材４００に大きな引張力が作用しても、転倒防止部材４００が取り付けられる台座部２２１の取付部分が損傷するなどを防止でき、強固に取り付けできる。さらには、強固に取り付けるために特別な構成を台座部２２１に設ける必要がなく、支持骨部材２１１を台座部２２１の補強と転倒防止部材４００の取付との双方の目的に共用でき、製造性の向上およびコストの低減が容易に得られるとともに、台座部２２１の大型化を防止できる。
さらには、転倒防止部材４００の台座部２２１の背面に臨む端部に、取付ねじ４４０が取り付けられる雌ねじ２１１Ｂを有した被取付部２１１Ｃを設けている。
このため、転倒防止部材４００を取り付ける際に取付ねじ４４０を螺着させるのみでよく、例えば木ねじをねじ込むなどの大きなトルクが必要なく、容易に取り付けできる。
【００２４】
〔実施形態の変形〕
なお、本発明は、上述した一実施形態に限定されるものではなく、本発明の目的を達成できる範囲で以下に示される変形をも含むものである。
【００２５】
すなわち、上記一実施形態では、スタンド２００に表示手段３００が取り付けられた表示装置１００を例示したが、スタンド２００のみを商品形態として流通させてもよい。そして、ＰＤＰや液晶パネルなどのいわゆる薄型平面ディスプレイを例示したが、例えばリアプロジェクタなどの表示装置などにも適用できる。
そして、表示手段３００の背面にねじ止めする構成を例示したが、例えば表示手段３００に上下方向に軸方向を有し下面を開口する取付凹部を設け、この取付凹部内に支柱部２１２を嵌挿して取り付ける構成などにも適用できる。特に、支柱部２１２が嵌挿されて取り付けられる構成においては、前後方向の寸法が大型化しない目的で、支柱部２１２の前後方向における寸法が大きく設定できないことから、本発明は有効である。
また、２本の支柱部２１２にて表示手段３００を支持する構成を例示したが、例えば４本にて支持するなど、少なくとも一対の支柱部２１２が本発明の構成となっていればよく、複数本にて支持する構成にも適用できる。
【００２６】
そして、転倒防止部材４００として、ねじ挿通孔４１１を設けて説明したが、例えば取付部材として木ねじなど用い、帯状に形成した転倒防止部材４００を貫通して被取付部２１１Ｃおよび家具５００にねじ止めする構成としてもよい。さらには、帯状固定部４２０のねじ取付孔４２１として、例えば長手方向にスリット状に形成し、スタンド２００を所望の位置に位置させた後に家具５００の背面に取付ねじ４４０を螺着して帯状固定部４２０を固定するなどしてもよい。
また、転倒防止部材４００として、合成樹脂にて断面Ｌ字状に形成したが、端部取付部４１０と帯状固定部４２０とが一平面上に位置する単なる帯状に形成し、可撓変形させて台座部２２１の背面および家具５００に取り付ける構成としてもよい。
さらには、転倒防止部材４００としては、合成樹脂製に限られない。例えば、織布や鋼板などにて長手帯状に形成し、適宜屈曲させてねじ止めしてもよい。なお、織布を用いる場合、例えば図５に示すように、帯状固定部４２０として例えばシートベルトに用いられる織布などの引っ張り強度が高いポリエステル繊維などにて帯状に形成し、この端部に端部取付部４１０として金属製のものを設けたものが好ましい。なお、金属製の端部取付部４１０としては、インサート成型や金属板にて折曲形成したものを帯状固定部４２０の端部を挾持する状態に取り付けるなど、各種方法が利用できる。そして、この図５に示す転倒防止部材４００についても、例えば帯状固定部４２０にねじ取付孔４２１を設けずに木ねじなどにて貫通させて取り付けるなどしてもよい。また、図５に示す転倒防止部材４００などの織布を用いる場合におけるねじ取付孔４２１としては、例えば鳩目などにて形成することが、帯状固定部４２０をねじ止めしても強度維持が得られるので好ましい。
【００２７】
また、表示手段３００を取り付けたスタンド２００を載置面５１０上に載置した後に転倒防止部材４００を取り付けて説明したが、この限りではない。例えば、組立形成したスタンド２００に転倒防止部材４００を取り付けた後に表示手段３００を取り付ける、あるいは表示手段３００をスタンド２００に取り付けた後で表示手段３００を起こし上げる前に転倒防止部材４００を取り付けて起こし上げ、これらの状態でスタンド２００を載置面５１０上に載置した後に帯状固定部４２０を家具５００などに取り付けてもよい。また、例えば、家具５００に転倒防止部材４００の帯状固定部４２０を取り付け、表示手段３００を取り付けたスタンド２００を載置面５１０上に載置した後に転倒防止部材４００の端部取付部４１０を被取付部２１１Ｃに取り付けるなどしてもよい。
さらに、ねじにて取り付ける構成で説明したが、例えば釘やステープラなどを取付部材として利用して固定してもよい。
【００２８】
そして、支柱部２１２の開口面２１２Ｂが互いに対向する状態に配設したが、例えば、開口面２１２Ｂが対向せずに同方向に向けて開口する状態としてもよい。さらには、開口面２１２Ｂが互いに反対側となる外側に向けて開口する状態としてもよい。
また、支柱部２１２として、断面略コ字状に形成したが、例えば、湾曲形成して断面略Ｕ字状としたり、一側が湾曲され他側が折曲された形状としたりしてもよい。なお、湾曲する構成では、応力が分散されて亀裂が入るなどの損傷が生じにくい構成が得られる。また、一部が湾曲する構成では、例えば折曲側が表示手段３００側に面する構成では、外観の向上が得られるとともに、表示面に対して直交する平面となる平面部２１２Ｃが形成されることとなり、断面略Ｕ字状の構成に比して、長手方向における前後方向での湾曲される応力に対する剛性を向上できる。なお、湾曲する側の面に表示手段３００を取り付けてもよい。
さらに、支持骨部材２１１のように、開口縁２１２Ａがさらに対向する側に折曲された構成としてもよい。
また、開口面２１２Ｂの垂線が表示面に略平行ではなく、直交あるいは交差する状態としてもよい。
さらには、支柱部２１２としては、角筒状や円筒状のものを用いてもよい。
【００２９】
また、スタンド２００として、あらかじめ一体的に形成された支持部２１０をカバー部２２０に組み付けて説明したが、例えば支持骨部材２１１と支柱部２１２とをねじ止めなどにより組み付けて一体構成の支持部２１０を形成し、この支持部２１０をカバー部２２０に組み付けるなどしてもよい。
さらには、支持骨部材２１１を設けず、例えば台座部２２１に支柱部２１２の端部をボルト止めなどにて組み付けて支柱部が立設する構成とするなどしてもよい。なお、このような構成としては、台座部２２１の背面が剛性を有する構成とすることが好ましい。例えば、背面に沿って被取付部２１１Ｃを有する補強部材が設けられていたり、支持骨部材２１１を支柱部２１２と別体として台座部２２１の補強部材の１つとして構成したりするなどが例示できる。
そして、支柱部２１２として、鋼板の折曲形成に限らず、鋳造にて形成したり、複数の板部材を接合して一側が開口する形状に形成したりしてもよい。なお、支持骨部材２１１についても一側が開口する形状としたが、開口する構成に限らず、筒状に形成したもの、あるいは柱状部材にて構成してもよい。
【００３０】
また、カバー部２２０に連結部２２２Ｂを設けたが、連結部２２２Ｂはなくてもよい。
さらには、支柱嵌挿部２２２Ａを設けず、単に嵌挿孔２２１Ａに嵌挿させる構成としてもよい。
そして、台座部２２１に支持部２１０の支持骨部材２１１をねじ止めして説明したが、ねじ止めせずに凹溝部内に係合固定させる構成としてもよい。
さらに、支柱部２１２として、例えば移動可能部材を設けて、表示手段３００の取付位置を変更すなわち高さ寸法を変更可能な構成としてもよい。
【００３１】
その他、本発明の実施の際の具体的な構造および手順は、本発明の目的を達成できる範囲で他の構造などに適宜変更できる。
【００３２】
〔実施形態の効果〕
上述したように、表示手段３００が取り付けられるスタンド２００における載置面５１０上に載置される略板状の台座部２２１の背面に、取付ねじ４４０にて転倒防止部材４００の端部取付部４１０を取り付けるとともに、この端部取付部に可撓性を有する部材にて長手帯状に連結された帯状固定部を家具５００の背面などに取付ねじ４４０にて取り付け、表示装置１００の転倒を防止している。
このため、取付部分が台座部２２１の背面であることから、表示手段３００の背面側に転倒防止部材４００を取り付けるための構成が不要で、表示手段３００の厚さ寸法である奥行き寸法の増大を防止しつつ、外観が損なわれることなく、帯状の簡単な構成で表示装置１００の転倒を防止できる転倒防止部材４００を容易に取り付けることができる。特に、奥行き寸法の制約が強い液晶ディスプレイやＰＤＰなどの薄型で大型の表示手段３００の表示装置１００でも、載置面５１０上に載置した後に表示手段３００を表示面が載置面５１０に対向する状態に倒して転倒防止部材４００を取り付ける必要がなく、容易に取り付けできる。さらには、可撓性を有する帯状固定部４２０にて家具５００の背面に屈曲させて取り付けるので、家具５００の載置面５１０にねじ孔などの傷を付けることなく容易に取り付けることができる。
【図面の簡単な説明】
【００３３】
【図１】本発明の一実施形態に係る表示装置の概略構成を示す背面側斜視図である。
【図２】前記一実施形態におけるスタンドを示す分解斜視図である。
【図３】前記一実施形態における表示装置の被取付部材を取り付ける状況を示す一部を切り欠いた背面側斜視図である。
【図４】前記一実施形態における被取付部材を示す側面図である。
【図５】本発明の他の実施形態における被取付部材を示す平面図である。
【符号の説明】
【００３４】
１００……表示装置
２００……スタンド
２１１……支持骨部材
２１２……支柱部
２２０……カバー部
２２１……台座部
４００……転倒防止部材
４１０……端部取付部
４２０……帯状固定部
４４０……取付部材としての取付ねじ
５００……構造物としての家具
５１０……載置面
【図１】
2008145779.tif 000003
【図２】
2008145779.tif 000004
【図３】
2008145779.tif 000005
【図４】
2008145779.tif 000006
【図５】
2008145779.tif 000007